(57)【要約】二つのロック部分の間に位置した閉鎖要素（３）を備えたシリンダー錠。二つのロック部分の少なくとも一方が、ロックシリンダー（１，２）を形成する。二つのロック部分は、ウエブ（５）から発する少なくとも一つのアーム（６）によって形成された連結ブリッジ（４）によって互いに連結される。ロックシリンダー（１，２）のフランジ領域は溝を有する。アーム（６）は、アーム（６）が溝（９）内に位置するときに、溝（９）の凹部（８）に係合する突起（７）を有する。溝（９）は、凹部（８）が溝側壁に配列され、かつ、これは円筒形穴（８）の部分である、ことを特徴とする。
2004507631.tif 000002
【特許請求の範囲】
【請求項１】
閉鎖要素（３）を二つのロック部分の間に位置させた、シリンダー錠であって、少なくとも一方がロックシリンダー（１，２）を形成する二つのロック部分は、連結ブリッジ（４）によって互いに連結され、連結ブリッジ（４）は、ウエブ（５）から発する少なくとも一つのアーム（６）を形成し、アームは、ロックシリンダー（１，２）のフランジ領域の溝（９）に係合し、かつ、溝（９）の凹部（８）に係合する突起（７）を形成する、前記シリンダー錠において、
凹部は、溝の側壁に配列され、かつ、円筒形穴（８）の部分である、ことを特徴とするシリンダー錠。
【請求項２】
閉鎖要素（３）を二つのロック部分の間に位置させたシリンダー錠であって、少なくとも一方がロックシリンダー（１，２）を形成する二つのロック部分は、連結ブリッジ（４）によって互いに連結され、連結ブリッジ（４）は、ウエブ（５）から発する少なくとも一つのアーム（６）を形成し、アームは、ロックシリンダー（１，２）のフランジ領域の溝（９）に係合し、かつ、溝（９）の凹部（８）に係合する突起（７）を形成する、前記シリンダー錠において、
連結ブリッジ（４）は、異なる軸線長さのシリンダー錠の構造のための複数の構成部品（５，６，１３）からなる、ことを特徴とするシリンダー錠。
【請求項３】
凹部（８）は、ハウジングピン穴（２３）の端部分である、ことを特徴とする請求項１又は２に記載のシリンダー錠。
【請求項４】
凹部（８）は、二列の形態に配列される、ことを特徴とする請求項１乃至３の何れか１項に記載のシリンダー錠。
【請求項５】
列の凹部（８）は、互いにオフセットされている、ことを特徴とする請求項１乃至４の何れか１項に記載のシリンダー錠。
【請求項６】
凹部（８）は、半円形の基本的な形状を有する、ことを特徴とする請求項１乃至５の何れか１項に記載のシリンダー錠。
【請求項７】
アーム（６）は、溝壁にねじ込まれるグラブねじ（２２）によって溝内に保持される、ことを特徴とする請求項１乃至６の何れか１項に記載のシリンダー錠。
【請求項８】
構成部品（５，６，１３）は、特にねじによって、互いに取り外し可能に連結される、ことを特徴とする請求項１乃至７の何れか１項に記載のシリンダー錠。
【請求項９】
アーム（６）は第一構成部品によって形成され、かつ、ウエブ（５）は第二構成部品によって形成される、ことを特徴とする請求項１乃至８の何れか１項に記載のシリンダー錠。
【請求項１０】
中間部品（１３）はウエブ（５）を延ばす、ことを特徴とする請求項１乃至９の何れか１項に記載のシリンダー錠。
【請求項１１】
第二構成部品はアーム（６）を形成する、ことを特徴とする請求項１乃至１０の何れか１項に記載のシリンダー錠。
【請求項１２】
構成部品は、端開口部（１６）に挿入することができるトラニオン（１５）によって連結可能である、ことを特徴とする１乃至１１の何れか１項に記載のシリンダー錠。
【請求項１３】
締結ねじ（１４）はトラニオン（１５）及び端開口部壁を横切る、ことを特徴とする請求項１乃至１２の何れか１項に記載のシリンダー錠。
【請求項１４】
ウエブ（５）は端開口部（１６）を形成する、ことを特徴とする請求項１乃至１３の何れか１項に記載のシリンダー錠。
【発明の詳細な説明】
【０００１】
（発明の属する技術分野）
本発明は、二つのロック部分の間に閉鎖要素位置させたシリンダー錠に関し、少なくとも一つがロックシリンダーを形成する二つのロック部分は、連結ブリッジによって互いに連結される。連結ブリッジは少なくとも一つのアームを形成し、そのアームからウエブが発する。アームはロックシリンダーのフランジ領域の溝内に係合し、かつ、溝の凹部に係合する突起を形成する。
【０００２】
（従来の技術）
かかるシリンダー錠は公知である。このシリンダー錠の上記の構造は、ロックシリンダーと連結ブリッジのキットタイプ（ｋｉｔ−ｔｙｐｅ）組み合わせを可能にする。種々のロックシリンダー、及び、特に、異なる長さのロックシリンダーを連結ブリッジにより互いに組み合わせることができる。たった一つのロックシリンダーを特定の連結ブリッジによって一つの閉鎖要素と組み合わせることも可能である。特定の延長部品及び適当な長さの連結ブリッジによって、極端に長い特別の寸法形状をもったシリンダー錠を構成することができる。
【０００３】
突起をアーム側で連結ブリッジに配列し、突起を、噛み合い嵌めを用いて、ロックシリンダーのフランジ領域に連結することは、ＤＥ１９７５３０１３により公知である。
【０００４】
（発明が解決しようとする課題）
本発明の目的は、一般的なシリンダー錠を生産技術の点から改良することにある。
【０００５】
その目的は、請求項に記載された本発明によって成し遂げられる。
【０００６】
請求項１に記載された解決策として、凹部が、溝側壁に構成され、かつ、円筒形穴の部分である。この設計によれば、連結ブリッジとロックシリンダーのフランジ領域との間の噛み合い嵌めによる係合を有利に作り出すことができる。請求項２では、連結ブリッジが、異なる軸線長さのシリンダー錠を構成するための複数の構成部品からなる。この設計によれば、シリンダー錠の生産は簡単化され、連結ブリッジを異なる構成部品からキットのような方法で構成することもできるので、準備すべき連結ブリッジの数を減す。本発明の展開では、凹部はハウジングピン穴の端部分である。これは、穴が二列に配列されるとき、特に有利である。この場合、列の穴は互いにオフセットさせることができるので、アームはジグザグの波構造を有する。溝を作るために、穴は最初にロックシリンダーのフランジ領域中に導入される。これらの穴は、好ましくはハウジングピン穴である。しかしながら、限られた深さだけを有する凹部を形成する穴を設計することが可能である。これは、ロックシリンダーが特に長手方向の中央平面にある一列だけのハウジングピン穴を有するとき有利である。次いで、溝は、好ましくは溝フライスによって導入され、それ故、二列の穴は、溝フライスによって触れられ、半円形の基本形状を有する凹部が残る。アームは溝内に保持され、グラブねじが溝壁へねじ込まれ、グラブねじは、先端がアームの窪みの中へ入ることができる。第一の変形例では、連結ブリッジは一部品として形成される。連結ブリッジは、スリーブねじのためのねじ開口部を有し、かつ、閉鎖要素の下に配列したウエブを有する。アームは、各々の場合ウエブから発し、かつ、ロックシリンダーのフランジ領域に固定される。しかしながら、ウエブは、ロックシリンダーのフランジ部分の周囲の輪郭に適合した周囲の輪郭を有する。独自の意義を有する本発明の好ましい変形例によれば、連結ブリッジは、複数の構成部品からなる。これらの構成部品は、特にねじによって、互いに取り外し可能に連結することができる。この場合、アームを第一の構成部品で形成し、ウエブを第二の構成部品で形成することができる。この設計によれば、ウエブを異なる長さのアームと組み合わせることができる。しかしながら、ウエブを片側だけのアームと組み合わせることも可能である。この場合、ウエブ自身が同じ材料の部品からアームを形成し、ウエブを第二のアームと組み合わせることができる。ウエブを、好ましくは、中間部品によって延ばすことができる。構成部品は、互いに挿入することができるようなものである。この目的のため、構成部品は、好ましくは、トラニオンを挿入することができる端開口部を有する。この場合、中間部品は、端開口部とトラニオンの両方を形成することができる。端開口部に挿入されたトラニオンは、好ましくは、端開口壁、及び端開口部に挿入されたトラニオンを横切る締結ねじによって保持される。ウエブは、別々の構成部品を形成することができる。これは、各々の場合に両端に開口部を形成したり、各々の場合にジャーナルを形成したり、或いは、一方の側に開口部を形成し、そして他の側にジャーナルを形成したりする。
【０００７】
（発明の実施の形態）
本発明の実施形態を、添付図面という補助物を用いて、以下に説明する。
【０００８】
図１乃至３に示すシリンダー錠は、二つのロックシリンダー１、２を有する。閉鎖要素３が二つのロックシリンダーの間に置かれ、閉鎖要素は、ロックシリンダーを作動することによって回転させることができる。ロックシリンダー１、２の二つのフランジ領域が連結ブリッジ４によって互いに連結される。
【０００９】
図４及び図５に示す連結ブリッジはウエブ５を有し、ウエブ５は、閉鎖要素３の軸線方向高さに位置し、かつ、スリーブねじ孔１０を形成する。ウエブ５は、ロックシリンダー１、２の隣接したフランジ部分の断面に適合する断面を有する。アーム６が各々の場合にウエブ５の端に連結される。アーム６は、ウエブ５に対して縮小させた断面を有し、かつ、アームの側壁に波状の突起７を形成する。突起７は、アーム６の二つの長い両側に配置され、かつ、互いにオフセットされている。
突起は、半円筒形状を有する。
【００１０】
二つのロックシリンダー１、２の各々は、フランジ領域に、底溝９、換言すれば、カーブの領域に位置した溝を形成する。溝は、シリンダーコアから遠い側に位置する。この溝は、その溝壁に半円形状を有する凹部８を有する。凹部８の形状は突起７の形状に適合し、そのため、アーム６を対応する形状の溝９内に挿入することができる。
【００１１】
図１乃至３に示す実施形態では、凹部８は、ピン穴２３の端によって形成される。ロックシリンダー１、２は、各々の場合に二列のピン穴を有する。突起７は、ある程度まで、ピン穴に対するクロージャーを形成する。安全の理由のために、ピン穴覆い（図示せず）が溝内に挿入されるが、ピン穴覆いは溝のベースを形成する。
【００１２】
図６及び図７に示す実施形態では、たった一列のピン穴２３が、二つのロックシリンダー１、２の各々に設けられる。ピン穴２３は、フランジ部分の長手方向の中央に位置する。凹部８を形成するピン穴２３は、この実施形態では、溝の深さほどしか導入されない。第一実施形態におけるように、二列あり、第一実施形態におけると同じ生産装置で作ることができるが、違いとしては、ピン穴の深さがより浅い。
【００１３】
溝を作るのに、凹部８を形成するピン穴が最初に作られる。次いで、溝９の中央部分を溝フライスでフライス加工し、組穴は中間点までフライス加工され、それ故、半円形の凹部８が残る。
【００１４】
アーム６は、溝壁にねじ込まれ、先端がアーム６の凹み２１に係合するグラブねじ２２によって溝９内に保持される。
【００１５】
図８は、図４及び図５に示した連結ブリッジよりも長い連結ブリッジ５を示す。連結ブリッジは、そのウエブ５の領域に締結用開口部１１を有し、ねじを締結用開口部１１にねじ込んで、連結ブリッジ４を短い延長部品に連結することができる。
関連したロックシリンダーは、図１乃至７のロックシリンダーとほぼ同じ長さである。
【００１６】
図１０及び図１１は、二つのロックシリンダーを備えたシリンダー錠を示し、ロックシリンダー１、２の両方は、ほぼ同じ長さである。延長部品１２が、ロックシリンダー２と閉鎖要素３との間に置かれる。この延長部品１２は、締結ねじ１４によって連結ブリッジにねじ止めされる。閉鎖要素３の方に向いているロックシリンダー２のフランジ領域の端面は凹部を有する。連結部品１２の端面凹部は、この凹部と反対側に位置する。調節要素１７が二つの凹部内に位置し、ロックシリンダー２を延長部品１２に非回転的に連結するようにする。
【００１７】
この実施形態の連結ブリッジ４は複数の構成部品を有する。第一の構成部品は、ロックシリンダー１と関連したアーム６及びウエブ５を形成する。第二の構成部品は、ロックシリンダー２と関連したアーム６を形成する。このアーム６は、ウエブ５を形成する構成部品の端開口部１６に挿入されるトラニオン１５を形成する。二つの機能を有する締結ねじ１４が、トラニオン１５の横穴と整合する端開口部１６の開口壁の横開口部を貫いて突出する。締結ねじ１４は、一方では、連結ブリッジ４の二つの構成部品を連結し、延長部品１２を連結ブリッジ４に固定する。
【００１８】
連結ブリッジ４の構成部品の実施形態を図１２及び図１３に示す。この構成部品は、スリーブねじ／ねじ穴１０と、横穴１８と、締結用開口部１１と、を備えたウエブ５を形成する。端開口部１６は、アーム６から遠いウエブ５の側に位置し、端開口部は横穴１８によって横切られる。
【００１９】
図１６及び図１７に示した実施形態のトラニオン１５は、例えば端開口部１６に挿入される。ここで、横穴２０を有するトラニオン１５は、フランジ１９から発し、フランジ１９からアーム６が他の側に突出する。図１８は、ウエブ５のみによって形成された構成部品を示す。この構成部品は、例えば図１６及び図１７に示すように構成部品のトラニオン１５を挿入することができる端開口部１６を、各々の場合、構成部品の二つの端面に有する。図１９乃至２１は、中間部品を示す。この中間部品１３は、複数の構成部品から形成された連結ブリッジを延ばすのに役立つ。中間部品１３は、一方では、トラニオン１５の挿入用の端開口部１６を有し、他方では、他の構成部品の端開口部１６に挿入することができるトラニオン１５を有する。
【００２０】
図２２及び図２３に示す構成部品では、アーム６がウエブの一方の側に連結され、トラニオン１５が、半円筒体としての端プレートのリベットボルトとしてウエブの他方の側に連結される。
【００２１】
開示した全ての特徴は、本発明（それ自体）にとって必須である。これらの書類の特徴を本出願の請求項に組み込む目的で、関連した／添付の優先権書類（先の出願の写し）の開示内容も完全に含まれる。
【図面の簡単な説明】
【図１】第一実施形態の二つのロックシリンダーを有するシリンダー錠の側面図である。
【図２】第一実施形態の底面図である。
【図３】実施形態の正面図である。
【図４】第一実施形態の連結ブリッジを上面図で示す。
【図５】連結ブリッジを側面図で示す。
【図６】ロックシリンダーの第二実施形態を底面図で示す。
【図７】第二実施形態を側面図で示す。
【図８】連結ブリッジの別の実施形態を上面図で示す。
【図９】図８による連結ブリッジを側面図で示す。
【図１０】シリンダー錠の別の実施形態を底面図で示す。
【図１１】図１０による実施形態を側面図で示す。
【図１２】連結ブリッジの構成部品の実施形態を上面図で示す。
【図１３】図１及び図２の線ＸＩＩＩ−ＸＩＩＩによる断面である。
【図１４】側面図での図１及び２による実施形態を部分断面図で示す。
【図１５】図１４の線ＸＶ−ＸＶによる断面図である。
【図１６】連結ブリッジの構成部品の別の実施形態を上面図で示す。
【図１７】図１６による実施形態を側面図で示す。
【図１８】連結ブリッジの構成部品の別の実施形態である。
【図１９】連結ブリッジの構成部品の別の実施形態である。
【図２０】図１９の線ＸＸ−ＸＸによる断面図である。
【図２１】図１９の線ＸＸＩ−ＸＸＩによる断面図である。
【図２２】連結ブリッジの構成部品の別の実施形態を上面図で示す。
【図２３】図２２による実施形態を側面図で示す。
【国際公開パンフレット】
2004507631.tif 000003
2004507631.tif 000004
2004507631.tif 000005
2004507631.tif 000006
2004507631.tif 000007
2004507631.tif 000008
2004507631.tif 000009
2004507631.tif 000010
2004507631.tif 000011
2004507631.tif 000012
2004507631.tif 000013
2004507631.tif 000014
2004507631.tif 000015
2004507631.tif 000016
2004507631.tif 000017
2004507631.tif 000018
【国際公開パンフレット（コレクトバージョン）】
2004507631.tif 000019
【国際調査報告】
2004507631.tif 000020
2004507631.tif 000021
2004507631.tif 000022
2004507631.tif 000023
2004507631.tif 000024